(57)【特許請求の範囲】
【請求項１】
送信局とダイバーシチ方式の受信局との間の複数の伝搬経路に配置され、前記送信局からの誤り訂正符号化された信号を前記受信局へ中継する無線通信装置であって、
伝搬経路が異なる中継信号をモニタするモニタ手段と、
モニタした信号の誤りを検出する誤り検出手段と、
モニタした信号に対する硬判定を行う硬判定手段と、
誤り検出結果及び硬判定結果に基づいて誤り位置情報を生成する誤り位置情報生成手段と、
前記送信局からの信号に前記誤り位置情報を加えた中継信号を生成する信号生成手段と、
生成した中継信号を前記受信局へ送信する送信手段と、
を備える無線通信装置。
【請求項２】
前記信号生成手段は、前記送信局からの信号の一部を前記誤り位置情報に置き換えることにより中継信号を生成する請求項１記載の無線通信装置。
【請求項３】
前記モニタ手段は、ターボ符号のシステマチックビットをモニタする請求項１又は２記載の無線通信装置。
【請求項４】
前記伝搬経路が異なる中継信号のパイロット信号を測定する測定手段を備え、
前記誤り検出手段は、測定結果を参照して決定したサブキャリアで送信されたビットだけで誤り検出を行い、
前記硬判定手段は、測定結果を参照して決定したサブキャリアで送信されたビットだけで誤り検出を行う請求項１ないし３のいずれか一項記載の無線通信装置。
【請求項５】
ダイバーシチ方式で受信する無線通信装置であって、
請求項１ないし４のいずれか一項記載の無線通信装置からの第１の中継信号を受信する受信手段と、
前記第１の中継信号から誤り位置情報を抽出する誤り位置情報抽出手段と、
抽出した誤り位置情報に基づいて誤り訂正を行う誤り訂正手段と、
前記誤り訂正の対象となる第２の中継信号を受信する受信手段と、
前記第１の中継信号及び誤り訂正した第２の中継信号に基づいて送信局からの信号を誤り訂正復号する誤り訂正復号手段と、
を備える無線通信装置。
【請求項６】
前記誤り訂正手段は、誤り位置情報に基づいて前記第２の中継信号における誤り箇所のビットを反転させるものである請求項５記載の無線通信装置。
【発明の詳細な説明】
【技術分野】
【０００１】
本発明は、送信局からの誤り訂正符号化された信号を受信局へ中継する無線通信装置及びダイバーシチ方式で受信する無線通信装置に関する。
【背景技術】
【０００２】
ＯＦＤＭ（Orthogonal Frequency Division Multiplexing：直交波周波数分割多重）を用いたマルチホップ伝送システムが知られている。マルチホップ伝送システムとは、移動端末同士が直接通信するだけでなく、他の移動端末を経由することでより広い範囲の移動端末と通信を可能にする無線ネットワークである。この無線ネットワークでは、ユーザは移動端末が属するセル内の基地局と通信するだけでなく、他の移動端末を経由してセル外の基地局にアクセスすることも可能になる。
【０００３】
図１は、複数の無線中継装置を用いて通信を行うための前提となる無線中継システムを示す。同図において、基地局ＢＳ（Base Station）は、送信データに対して誤り訂正符号化を行い、信号Ｃ１と信号Ｃ２を生成する。ここでは、信号Ｃ１と信号Ｃ２は異なる冗長度を持つ信号であり、例えばＣ１＝システマチックビットＳ、Ｃ２＝パリティビットＰとする。
【０００４】
信号Ｃ１（Ｓ）と信号Ｃ２（Ｐ）は、異なる伝搬経路に設けられたリピータＲＳ（Relay Station：無線中継装置）すなわちリピータＲＳ１およびリピータＲＳ２を通じて移動局ＭＳ（Mobile Station：移動端末）に送信される。この場合、信号Ｃ１（Ｓ）と信号Ｃ２（Ｐ）が送信されるスロットは別スロットであり、リピータＲＳ１が信号Ｃ１（Ｓ）を再生して中継し、リピータＲＳ２が信号Ｃ２を再生して中継する。移動局ＭＳは、信号Ｃ１（Ｓ）と信号Ｃ２（Ｐ）を使って誤り訂正復号を行う。
【０００５】
このように基地局ＢＳから移動局ＭＳに２台のリピータＲＳ１，ＲＳ２が信号を中継する場合、ダイバーシチ効果を得るために、リピータＲＳ１とリピータＲＳ２はそれぞれ別の信号（システマチックビットＳとパリティビットＰ）を中継する。
【０００６】
この場合、誤り訂正方式として、ＬＤＰＣ（low density parity check codes：低密度パリティ検査符号）、ターボ符号等の誤り訂正方式が行われる。ターボ符号では、誤り訂正ビットとして、性質の異なるシステマチックビットＳ、パリティビットＰの２種類の情報を生成する。システマチックビットＳのほうがパリティビットＰに比べて、誤り訂正にはより重要な情報である。
【０００７】
図１に示すように、まず基地局ＢＳが２フレーム（＃１，＃２）使用してシステマチックビットＳとパリティビットＰをそれぞれリピータＲＳ１とリピータＲＳ２に送信し、リピータＲＳ１が次のフレーム＃３で中継し、リピータＲＳ２がさらに次のフレーム＃４で中継する。移動局ＭＳは、リピータＲＳ１とリピータＲＳ２からの両方の信号を受信し、両方の受信信号を用いて誤り訂正復号処理を行って復調する。
【０００８】
従来のリピータＲＳの処理においては、受信した信号に対して硬判定（受信信号は−∞〜＋∞の値をとるが、その値が負なら→−１、正なら→１に変換すること）を実施して信号を中継する。すなわち、受信信号中の誤りの有無にかかわらず、硬判定信号を中継する。信号に誤りがあっても送信する理由は、最終受信局で誤り訂正復号により誤りを訂正できる可能性があるため、送らないよりは送ったほうが最終的な受信性能が向上するからである（例えば、特許文献１参照）。
【特許文献１】特開２００１−１８９９７１号公報
【発明の開示】
【発明が解決しようとする課題】
【０００９】
しかしながら、上記従来の無線中継システムにあっては、リピータＲＳが再生に失敗してリピータＲＳの送信時点の信号が誤っていると、移動局ＭＳにおける誤り率特性が劣化する。特に、信号Ｃ２が誤るよりも信号Ｃ１が誤った方が移動局ＭＳにおける誤り率特性の劣化が大きい場合（例えば、信号Ｃ１がシステマチックビットＳ、信号Ｃ２がパリティビットＰ）には、リピータＲＳ１が信号Ｃ１（システマチックビットＳ）の再生に失敗して誤った信号Ｃ１を送信すると移動局ＭＳにおける誤り率特性が劇的に劣化する。
【００１０】
図２は、リピータＲＳ１の送信信号に送信時点で誤りが存在する場合を示す。同図に示すフレーム＃３において、リピータＲＳ１からの中継信号に送信時点で誤りが存在し、かつその誤りが重要なビット（誤り訂正符号におけるシステマチックビットＳなど）の場合、最終的な性能が劣化する。なぜならば、システマチックビットＳは、誤り訂正復号において誤り率を支配しているビットなので、このビットが誤って受信されると誤りを正しく復号できなくなるからである。したがって、このシステマチックビットＳの誤りを如何に回避するかが重要になる。
【００１１】
本発明は、上記従来の事情に鑑みてなされたものであって、最終受信者における誤り率特性を改善することができる無線通信装置を提供することを目的としている。
【課題を解決するための手段】
【００１２】
本発明の無線通信装置は、送信局とダイバーシチ方式の受信局との間の複数の伝搬経路に配置され、前記送信局からの誤り訂正符号化された信号を前記受信局へ中継する無線通信装置であって、伝搬経路が異なる中継信号をモニタするモニタ手段と、モニタした信号の誤りを検出する誤り検出手段と、モニタした信号に対する硬判定を行う硬判定手段と、誤り検出結果及び硬判定結果に基づいて誤り位置情報を生成する誤り位置情報生成手段と、前記送信局からの信号に前記誤り位置情報を加えた中継信号を生成する信号生成手段と、生成した中継信号を前記受信局へ送信する送信手段と、を備える。
【００１３】
上記構成によれば、伝搬経路が異なる中継信号の誤りを受信局に通知することにより、受信局において、伝搬経路が異なる中継信号の送信時点で発生した誤りを打ち消すことができる為、受信局における誤り率特性を改善することができる。したがって、例えばターボ符号方式の場合、パリティビットＰを中継する無線通信装置が、システマチックビットＳをモニタし、この信号の誤りを受信局に通知すれば、システマチックビットＳの送信時点で発生した誤りを打ち消すことができる為、受信局における最終的な性能を改善することができる。
【００１４】
また、本発明の無線通信装置は、前記信号生成手段が、前記送信局からの信号の一部を前記誤り位置情報に置き換えることにより中継信号を生成するものである。
【００１５】
また、本発明の無線通信装置は、前記モニタ手段が、ターボ符号のシステマチックビットをモニタするものである。
【００１６】
また、本発明の無線通信装置は、前記伝搬経路が異なる中継信号のパイロット信号を測定する測定手段を備え、前記誤り検出手段が、測定結果を参照して決定したサブキャリアで送信されたビットだけで誤り検出を行い、前記硬判定手段が、測定結果を参照して決定したサブキャリアで送信されたビットだけで誤り検出を行うものである。上記構成によれば、回線品質がよいサブキャリアで送信されたビットだけで誤り検出を行うので、伝搬経路の状況がよくない場合であっても、正確な誤り検出が可能となる。
【００１７】
また、本発明の無線通信装置は、ダイバーシチ方式で受信する無線通信装置であって、本発明の無線通信装置からの第１の中継信号を受信する受信手段と、前記第１の中継信号から誤り位置情報を抽出する誤り位置情報抽出手段と、抽出した誤り位置情報に基づいて誤り訂正を行う誤り訂正手段と、前記誤り訂正の対象となる第２の中継信号を受信する受信手段と、前記第１の中継信号及び誤り訂正した第２の中継信号に基づいて送信局からの信号を誤り訂正復号する誤り訂正復号手段と、を備える。
【００１８】
さらに、本発明の無線通信装置は、前記誤り訂正手段が、誤り位置情報に基づいて前記第２の中継信号における誤り箇所のビットを反転させるものである。
【発明の効果】
【００１９】
本発明によれば、伝搬経路が異なる中継信号の誤りを受信局に通知することにより、受信局において、伝搬経路が異なる中継信号の送信時点で発生した誤りを打ち消すことができる為、受信局における誤り率特性を改善することができる。
【発明を実施するための最良の形態】
【００２０】
図３は、本発明の実施形態にかかる無線中継システムの概略構成図である。同図を参照して、無線中継システムの概略を説明する。同図に示すように、無線中継システムは、基地局ＢＳ（送信局）と、リピータ（無線中継装置）ＲＳ１，ＲＳ２と、移動局（移動端末）ＭＳ（受信局）とを備える。リピータＲＳ１，ＲＳ２は、基地局ＢＳとダイバーシチ方式の受信局である移動局ＭＳとの間の複数の伝搬経路に配置され、基地局ＢＳからの誤り訂正符号化された信号を移動局ＭＳへ中継するものである。リピータＲＳ２は、リピータＲＳ１の信号送信時にリピータＲＳ１から送信された信号をモニタして送信時点で誤りが存在したかどうかを検出する。
【００２１】
また、リピータＲＳ２は、リピータＲＳ１からの送信信号のシステマチックビットＳに誤りを検出したときは、誤り位置情報ＥＩ（Error Information）を生成し、パリティビットPの一部を誤り位置情報ＥＩに置き換えて送信する。誤り検出結果は、制御ｃｈで通知する。
【００２２】
移動局ＭＳは、リピータＲＳ１から中継されたシステマチックビットＳとリピータＲＳ２から中継されたパリティビットＰを受信する。そして、移動局ＭＳは、パリティビットＰに誤り位置情報ＥＩが含まれる場合には誤り位置情報ＥＩに基づいて誤り訂正を施し、誤り訂正復号処理を行って復調する。
【００２３】
この場合、誤り位置情報ＥＩがあるかないかのフラグ（０，１）と誤り位置情報ＥＩがどこから始まるかを示すオフセット値は、リピータＲＳ２から制御情報として移動局ＭＳに通知される。
【００２４】
移動局ＭＳは、制御情報のフラグを見て「１」の場合は、誤り位置情報ＥＩがあると判断し、後続するオフセット値を読み込み、当該オフセット値から、パリティビットPをスキップし誤り位置情報ＥＩを取得する。また、取得した誤り位置情報ＥＩから、ビット誤り開始位置、ビット誤り終了位置を抽出し、その範囲でデータのビットを反転して情報の補正を行う。
【００２５】
このように、本実施形態の無線中継システムにおいて、信号Ｃ２を中継するリピータＲＳ２は、信号Ｃ１を中継するリピータＲＳ１が送信した信号をモニタし、リピータＲＳ１が送信した信号Ｃ１が送信時点で誤っているかどうかを調べる。そして、リピータＲＳ２は、リピータＲＳ１が送信した信号Ｃ１が送信時点で誤っていたら、リピータＲＳ２から移動局ＭＳに送信する信号Ｃ２の一部を誤り位置情報ＥＩに置き換えて移動局ＭＳに送信する。誤り位置情報ＥＩは、「信号Ｃ１のうち、どのビットが送信（中継）時点で誤っていたか」を示す情報である。
【００２６】
本実施形態の無線中継システムによれば、リピータＲＳ２が、伝搬経路が異なる中継信号（リピータＲＳ１からの中継信号）の誤りを移動局ＭＳに通知することにより、移動局ＭＳにおいて、リピータＲＳ１からの中継信号の送信時点で発生した誤りを打ち消すことができる為、移動局ＭＳにおける誤り率特性を改善することができる。ここで、信号Ｃ１が信号Ｃ２よりも誤り率に与える影響が大きいので、移動局ＭＳは信号Ｃ２を受信するよりも信号Ｃ１を正確に受信した方が誤り率特性を改善できる。
【００２７】
図４は、本実施形態の無線中継システムにおける基地局ＢＳの概略ブロック図を示す。本実施形態における基地局ＢＳは、送信情報に誤り訂正符号化を行い、システマチックビットＳとパリティビットＰとを生成する誤り訂正符号化部４１と、システマチックビットＳを一時的に格納するバッファ４２と、パリティビットＰを一時的に格納するバッファ４３と、システマチックビットＳとパリティビットＰのいずれかを選択する切り替え部４４と、送信情報に誤り検出符号を付加する誤り検出符号付加部４５と、送信信号を高周波増幅して変調する送信ＲＦ部４６と、送信信号をリピータＲＳに送信するアンテナ４７とを備える。
【００２８】
誤り訂正符号化部４１において、送信データの誤り訂正符号化が行われ、誤り訂正符号化後の信号が送信ＲＦ部４６で変調されて送信される。誤り訂正符号化後の信号のうち、システマチックビットＳはリピータＲＳ１経由で、パリティビットＰはリピータＲＳ２経由で移動局ＭＳに送信される。
【００２９】
図５は、本発明の実施形態の無線中継システムにおけるリピータＲＳ１の概略ブロック図を示す。リピータＲＳ１は、基地局ＢＳから送信データを受信するアンテナ５０と、受信データを高周波増幅する受信ＲＦ部５１と、受信データに硬判定を行う硬判定部５２と、受信データの変調を行う変調部５３と、変調後の受信データを高周波増幅して送信する送信ＲＦ部５４とを備える。
【００３０】
硬判定部５２では、受信信号が−∞〜＋∞の値をとる場合に、その値が負なら→−１、正なら→１に変換する処理を行う。硬判定が行われた信号は、変調部５３において再変調処理が行われて送信される。リピータＲＳ１は、従来のリピータの構成と同じである。
【００３１】
図６は、本発明の実施形態の無線中継システムにおけるリピータ（無線中継装置）ＲＳ２の概略ブロック図を示す。本実施形態におけるリピータＲＳ２は、基地局ＢＳから送信データを受信するアンテナ６０と、受信データを高周波増幅するとともに、パリティビットＰとシステマチックビットＳを抽出する受信ＲＦ部６１と、パリティビットＰとシステマチックビットＳのいずれかを選択する切り替え部６２と、パリティビットＰに硬判定を行う硬判定部６３と、システマチックビットＳに硬判定を行う硬判定部６６と、システマチックビットＳとパリティビットＰとから誤り訂正復号を行う誤り訂正復号部６４と、システマチックビットＳの誤り検出を行う誤り検出部６５と、硬判定部６６の出力と誤り訂正復号部６４の出力とから誤り位置情報ＥＩを生成する誤り位置情報生成部６８と、硬判定部６６の出力の一部を誤り位置情報ＥＩに置き換えるデータ置き換え部６７と、誤り位置情報ＥＩを含む中継データを変調する変調部６９と、変調部６９の出力を高周波増幅して送信する送信ＲＦ部７０とを備える。
【００３２】
リピータＲＳ２では、受信ＲＦ部６１で受信した信号がパリティビットＰの場合は、通常のリピータ処理を行う。リピータＲＳ１が送信するタイミング（フレーム＃３）では、受信ＲＦ部６１でリピータＲＳ１が送信したシステマチックビットＳを受信して処理を行う。システマチックビットＳからデータ部とパイロット部を抽出し、データ部を硬判定して誤り検出を行う。誤りが検出されなかった場合には、何も行わない。
【００３３】
誤りが検出された場合には、既に受信したパリティビットＰの硬判定結果と今回受信したシステマチックビットＳの硬判定結果を用いて誤り訂正復号処理を行い、システマチックビットＳの硬判定ビットと比較することによりシステマチックビットＳの硬判定ビットのどの部分に誤りが存在したのか調べ、誤り位置情報ＥＩを生成する。そして、基地局ＢＳからのパリティビットＰの一部を、生成した誤り位置情報ＥＩに置き換えて、移動局ＭＳに送信する。
【００３４】
このように、本実施形態のリピータＲＳ２は、リピータＲＳ１の中継信号をモニタし、中継信号中に送信時点で誤りがあるかどうか検出する。従来、リピータＲＳ２は、リピータＲＳ１の送信信号を受信していなかったが、本実施形態では、あるリピータＲＳ２が伝搬経路が異なる中継信号（リピータＲＳ１の中継信号）を受信する。
【００３５】
リピータＲＳ２がリピータＲＳ１の送信時点の信号に誤りを検出した場合には、リピータＲＳ２は、「リピータＲＳ１の送信信号のうち、どの部分が送信時点で誤っている」という情報を移動局ＭＳに対して送信する。移動局ＭＳは、この情報に基づいて、既に受信しているリピータＲＳ１からの中継信号の一部を反転させて誤り訂正復号処理を行う。
【００３６】
本実施形態によれば、移動局は受信した信号が送信時点で誤っていたことを知ることができる。また、誤り訂正復号前に該当するビットを反転させることにより、移動局における誤り訂正復号の性能を向上させ、誤り率特性を改善することが可能となる。
【００３７】
図７は、本発明の実施形態における移動局（移動端末）ＭＳの概略ブロック図を示す。本実施形態における移動局ＭＳは、リピータＲＳから信号を受信するアンテナ７８と、受信した信号を高周波増幅する受信ＲＦ部７１と、リピータＲＳ１からの信号とリピータＲＳ２からの信号のいずれかを選択する切り替え部７２と、リピータＲＳ１からの信号を復調する復調部７３と、リピータＲＳ２からの信号を復調する復調部７５と、リピータＲＳ２からの信号から誤り位置情報ＥＩを抽出する誤り位置情報抽出部７６と、誤り位置情報ＥＩに基づいて、リピータＲＳ１からの信号の誤り箇所のビット反転を行うビット反転部７４と、システマチックビットＳとパリティビットＰとから誤り訂正復号を行う誤り訂正復号部７７とを備える。
【００３８】
本実施形態における移動局ＭＳでは、まずリピータＲＳ１から受信した信号を復調して保存する。次にリピータＲＳ２から受信した信号を復調し、誤り位置情報ＥＩが含まれているかどうかを判定する。
【００３９】
誤り位置情報ＥＩが含まれていない場合には、リピータＲＳ１から受信したシステマチックビットＳとリピータＲＳ２から受信したパリティビットＰを用いて誤り訂正復号処理を行い、受信信号を復調して出力する。
【００４０】
一方、誤り位置情報ＥＩが含まれている場合には、誤り位置情報ＥＩに基づいて、リピータＲＳ１から受信した信号における誤り箇所のビットを反転させてから誤り訂正復号処理を行い、受信信号を復調して出力する。
【００４１】
ビットを反転させる理由は以下である。リピータにおける送信信号は＋１または−１である。リピータが送信時に信号を誤って送信する場合は、以下の２通りがある。＋１が正しいのに−１を送信してしまう場合、および−１が正しいのに＋１を送信してしまう場合である。いずれの場合も、受信した信号を反転する（−１を乗算する）ことにより、正しく送信したことになるので、送信時点の誤りを打ち消すことができる。
【００４２】
本実施形態によれば、リピータＲＳ１からの中継信号に送信時に誤りが存在することがわかるので、受信局はその部分を反転させることにより正しい信号が送信された状態と同じ状態を作り出せる。これにより、リピータＲＳ１の中継時には誤りがなかったことと同じ状態が作り出せるので、移動局ＭＳにおける誤り率特性を改善することが可能となる。
【００４３】
このように本実施形態において、リピータＲＳ２は他方のリピータＲＳ１が送信している信号を受信し、その信号に送信時点で誤りが存在することを検出したときには、移動局ＭＳに対して誤りビットの存在「誤り検出結果」とその位置の情報「誤り位置情報」を通知する。誤り位置情報の具体的なデータ構造は、例えば、ビット誤り開始位置、ビット誤り終了位置の組み合わせ情報である。
【００４４】
従って、移動局ＭＳは受信した信号が送信時点で誤っていたことを知ることができる。また、誤り訂正復号前に該当するビットを反転させることにより、移動局ＭＳにおける誤り訂正復号の性能を向上させ、誤り率特性を改善することが可能となる。
【００４５】
なお、リピータＲＳ２が、リピータＲＳ１の送信時点における信号の誤り検出を行う場合に、リピータＲＳ１からリピータＲＳ２への伝播経路の状況が悪いと、正確な誤り検出ができないことが考えられる。
【００４６】
しかしながら、この場合に全ての信号の誤り検出を行うのではなく、一部の信号だけを用いるようにする。例えば、リピータＲＳ２は、リピータＲＳ１から送信された信号のパイロット信号を測定し、リピータＲＳ１からリピータＲＳ２までの回線品質がよいサブキャリアで送信されたビットだけで誤り検出を行う。回線品質がよいサブキャリアで送信されたにもかかわらず受信信号が誤っているとすれば、リピータＲＳ１の送信時点の信号が誤っているということである。
【００４７】
また、上記実施の形態の説明に用いた各機能ブロックは、典型的には集積回路であるＬＳＩとして実現される。これらは個別に１チップ化されてもよいし、一部又は全てを含むように１チップ化されてもよい。
ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００４８】
本発明を詳細にまた特定の実施態様を参照して説明したが、本発明の精神と範囲を逸脱することなく様々な変更や修正を加えることができることは当業者にとって明らかである。
本出願は、2005年5月18日出願の日本特許出願（特願2005−145966）に基づくものであり、その内容はここに参照として取り込まれる。
【産業上の利用可能性】
【００４９】
本発明は、伝搬経路が異なる中継信号の誤りを受信局に通知することにより、受信局において、伝搬経路が異なる中継信号の送信時点で発生した誤りを打ち消すことができる為、受信局における誤り率特性を改善することができる効果を有し、送信局からの誤り訂正符号化された信号を受信局へ中継する無線通信装置及びダイバーシチ方式で受信する無線通信装置等に有用である。
【図面の簡単な説明】
【００５０】
【図１】複数の無線中継装置を用いて通信を行うための前提となる無線中継システムを示す説明図
【図２】リピータＲＳ１の送信信号に送信時点で誤りが存在する場合を示す説明図
【図３】本発明の実施形態にかかる無線中継システムの概略構成図
【図４】本発明の実施形態における基地局の概略ブロック図
【図５】本発明の実施形態におけるリピータ１の概略ブロック図
【図６】本発明の実施形態におけるリピータ２の概略ブロック図
【図７】本発明の実施形態における移動局の概略ブロック図
【符号の説明】
【００５１】
４１  誤り訂正符号化部
４２，４３  バッファ
４４，６２，７２  切り替え部
４５  誤り検出符号付加部
４６，５４，７０  送信ＲＦ部
４７，５０，６０，７８  アンテナ
５１，６１，７１  受信ＲＦ部
５２，６３，６６  硬判定部
５３，６９  変調部
６４，７７  誤り訂正復号部
６５  誤り検出部
６７  データ置き換え部
６８  誤り位置情報生成部
７３，７５  復調部
７４  ビット反転部
７６  誤り位置情報抽出部
【図１】
0004689669.tif 000002
【図２】
0004689669.tif 000003
【図３】
0004689669.tif 000004
【図４】
0004689669.tif 000005
【図５】
0004689669.tif 000006
【図６】
0004689669.tif 000007
【図７】
0004689669.tif 000008